(57)【要約】【課題】製品種類を増やすことなく、電源スイッチ操作に関する運用の変化に容易に対応することができる商品販売データ処理装置を提供する。【解決手段】電源スイッチ３０が設けられた前面パネル１２に対して開閉自在なフロントカバー２０が閉位置に位置している状態で電源スイッチ３０を外部に露出するスイッチ孔２１と、スイッチ孔２１に対して着脱自在であって、スイッチ孔２１に対して取り付けた状態で電源スイッチ３０の露出を遮蔽するスイッチ孔カバー４０と、を備える。これにより、電源スイッチ３０の運用により、スイッチ孔カバー４０をスイッチ孔２１に取り付けるか、スイッチ孔カバー４０をスイッチ孔２１に取り付けないかの対応を選択することができるので、スイッチ孔カバー４０のような小物部品を追加するだけの容易な構造で、製品種類を増やすことなく、電源スイッチ３０の操作に関する運用の変化に容易に対応することができる。【選択図】図３
2010186337.tif 000002
【特許請求の範囲】
【請求項１】
筐体と、
前記筐体の所定のパネル面に設けられ、電源を立ち上げるための電源スイッチと、
前記電源スイッチが設けられた所定のパネル面に対して、開位置と閉位置との間で回動して開閉自在なカバーと、
前記カバーが閉位置に位置している状態で前記カバーにおける前記電源スイッチに対向する位置を切り欠いて設けられ、前記電源スイッチを外部に露出するスイッチ孔と、
前記スイッチ孔に対して着脱自在であって、前記スイッチ孔に対して取り付けた状態で前記電源スイッチの露出を遮蔽するスイッチ孔カバーと、
を備えることを特徴とする商品販売データ処理装置。
【請求項２】
前記スイッチ孔カバーは、前記スイッチ孔に対して着脱可能に設けられている、
ことを特徴とする請求項１記載の商品販売データ処理装置。
【請求項３】
前記電源スイッチが設けられた所定のパネル面は、前記筐体の操作者側に位置するパネルである、
ことを特徴とする請求項１記載の商品販売データ処理装置。
【発明の詳細な説明】
【技術分野】
【０００１】
本発明は、ＥＣＲやＰＯＳ（Point  Of  Sales）端末等の商品販売データ処理装置に関する。
【背景技術】
【０００２】
ＥＣＲやＰＯＳ端末等の商品販売データ処理装置は、商品販売データ処理のために機能するハードウエア構成物、キーボード、ディスプレイ、プリンタ等の各要素が集合して構成されている。これらの各要素に対する電源を一括して立ち上げるには、筐体部に設置された電源スイッチの手動操作、または、ネットワークを通じて信号にて行うこととなる。
【０００３】
一方、特許文献１には、電源スイッチが設けられている筐体部の前面パネルに対して開閉自在なフロントカバーが設けられているＰＯＳ端末が開示されている。このようなフロントカバーは、筐体部に内蔵されている制御部やＨＤＤユニットなどのメンテナンスを行う際に、開閉するカバーである。
【０００４】
したがって、特許文献１に開示されているＰＯＳ端末によれば、フロントカバーを開ける操作をしないと、電源スイッチに対する操作ができない。
【発明の概要】
【発明が解決しようとする課題】
【０００５】
ところで、ＰＯＳシステムの立ち上げにおいては、ユーザの運用形態により、電源スイッチのありかたが異なっている。
【０００６】
あるユーザでは、「電源スイッチは毎日操作するものであり、オペレータも多いため、すぐに位置が確認できて操作できるように、カバーでは覆わず、筐体の表面に出して欲しい。」という要望がある。一方では、「電源のＯＮ／ＯＦＦは、ネットワークで行うため、電源スイッチの操作は基本的に行わない。オペレータが誤って操作することが無い様に、カバーで電源スイッチを覆って欲しい。ただし、緊急時には、電源スイッチを操作できるようにして欲しい。」という要望もある。
【０００７】
このような多様な使用条件からくる要望に対して、個別の構造で対応すると、製品機種が増え、製造・在庫などの管理も複雑になるため、共通で、容易に要望を充たすことのできる構造にする必要がある。
【０００８】
本発明は、上記に鑑みてなされたものであって、製品種類を増やすことなく、電源スイッチ操作に関する運用の変化に容易に対応することができる商品販売データ処理装置を提供することを目的とする。
【課題を解決するための手段】
【０００９】
上述した課題を解決し、目的を達成するために、本発明の商品販売データ処理装置は、筐体と、前記筐体の所定のパネル面に設けられ、電源を立ち上げるための電源スイッチと、前記電源スイッチが設けられた所定のパネル面に対して、開位置と閉位置との間で回動して開閉自在なカバーと、前記カバーが閉位置に位置している状態で前記カバーにおける前記電源スイッチに対向する位置を切り欠いて設けられ、前記電源スイッチを外部に露出するスイッチ孔と、前記スイッチ孔に対して着脱自在であって、前記スイッチ孔に対して取り付けた状態で前記電源スイッチの露出を遮蔽するスイッチ孔カバーと、を備えることを特徴とする。
【発明の効果】
【００１０】
本発明にかかる商品販売データ処理装置は、製品種類を増やすことなく、電源スイッチ操作に関する運用の変化に容易に対応することができる、という効果を奏する。
【図面の簡単な説明】
【００１１】
【図１】図１は、本発明の実施の一形態にかかるＰＯＳ端末を示す外観斜視図である。
【図２】図２は、フロントカバーが開いている状態のＰＯＳ端末を示す外観斜視図である。
【図３】図３は、フロントカバーの一部を拡大して示す斜視図である。
【図４】図４は、スイッチ孔カバーが嵌め込まれたフロントカバーの一部を拡大して示す斜視図である。
【発明を実施するための形態】
【００１２】
以下に添付図面を参照して、この発明にかかる商品販売データ処理装置の最良な実施の形態を詳細に説明する。
【００１３】
本発明の実施の一形態を図１ないし図４に基づいて説明する。本実施の形態は商品販売データ処理装置としてＰＯＳ（Point  Of  Sales）端末を適用した例である。
【００１４】
ここで、図１は本発明の実施の一形態にかかるＰＯＳ端末１を示す外観斜視図、図２はフロントカバー２０が開いている状態のＰＯＳ端末１を示す外観斜視図である。図１および図２に示すように、ＰＯＳ端末１は、装置本体である制御ユニット２に、キーボード３、客用表示器４、キャッシャ用表示器５、バーコードスキャナ６、サーマルプリンタ７等が接続されて構成されている。
【００１５】
制御ユニット２には、各部を駆動制御する図示しない制御部やＨＤＤ（Hard  Disk  Drive）ユニットが内蔵されている。制御部は、各部を集中的に制御するＣＰＵ（Central  Processing  Unit）を主体に構成されており、この制御部には、前述したキーボード３、客用表示器４、キャッシャ用表示器５、バーコードスキャナ６、サーマルプリンタ７が図示しないＩ／Ｏを介して接続されている。
【００１６】
図１および図２に示すように、制御ユニット２は直方体状の筐体１１を有していて、キーボード３、キャッシャ用表示器５、客用表示器４、サーマルプリンタ７を搭載する。この筐体１１の内部には、前述した制御部、ＨＤＤユニット等が設けられている。筐体１１の前面には、後述するマグネット１３を受ける鉄製のマグネット受け（図示せず）が取り付けられたフロントカバー２０が設けられている。このようなフロントカバー２０は、制御ユニット２に内蔵されている制御部やＨＤＤユニットなどのメンテナンスを行う際に、開閉するカバーである。なお、制御ユニット２の筐体１１について、キーボード３等を搭載する面を搭載面とし、図示しないドロワなどに戴置される面を戴置面とする。
【００１７】
フロントカバー２０における筐体１１の戴置面側は、筐体１１の操作者側に位置する前面パネル１２に対して回転自在に軸設されている。また、前面パネル１２における筐体１１の搭載面側には、マグネット１３が配設されている。これにより、フロントカバー２０における筐体１１の搭載面側を引っ張ると前面パネル１２のマグネット１３からフロントカバー２０のマグネット受けが外れ、フロントカバー２０における筐体１１の戴置面側の軸を中心に開閉することになるので、筐体１１の前面パネル１２に対してフロントカバー２０が開位置と閉位置との間で回動して開閉自在になっている。
【００１８】
また、図２に示すように、筐体１１の前面パネル１２には、制御ユニット２、キーボード３、客用表示器４、キャッシャ用表示器５、バーコードスキャナ６、サーマルプリンタ７等の各要素に対する電源を一括して立ち上げるための、電源スイッチ３０が設けられている。
【００１９】
図３は、フロントカバー２０の一部を拡大して示す斜視図である。図３に示すように、フロントカバー２０には、筐体１１の前面パネル１２に対して閉位置に位置した状態で電源スイッチ３０に対向する位置を切り欠いて設けられ、電源スイッチ３０を外部に露出するスイッチ孔２１が設けられている。これにより、フロントカバー２０が筐体１１の前面パネル１２に対して閉じられた状態でも電源スイッチ３０の位置が確認できるとともに、オペレータが電源スイッチ３０を操作することができる。すなわち、オペレータは、電源スイッチを操作する際に、毎回、フロントカバー２０を開閉しなくても良い。
【００２０】
加えて、図３に示すように、本実施の形態のＰＯＳ端末１は、スイッチ孔２１に対して着脱自在なスイッチ孔カバー４０を備えている。スイッチ孔カバー４０は、樹脂製であって、スイッチ孔２１に対して所謂スナップフィットで外側から着脱可能に設けられている。より詳細には、スイッチ孔カバー４０の対向する辺には一対の締結部４１が形成されており、スイッチ孔カバー４０をスイッチ孔２１に嵌め込むと、スイッチ孔カバー４０の締結部４１がバネとして作用してスイッチ孔２１に設けられた一対の締結穴２２にそれぞれ入り込むことにより、スイッチ孔カバー４０がスイッチ孔２１に固定される。
【００２１】
図４は、スイッチ孔カバー４０が嵌め込まれたフロントカバー２０の一部を拡大して示す斜視図である。図４に示すように、スイッチ孔カバー４０がスイッチ孔２１に固定された状態では、電源スイッチ３０の露出が遮蔽される。これにより、オペレータは、電源スイッチ３０の位置を確認することはできず、かつ、オペレータが電源スイッチ３０を操作することはできない。また、フロントカバー２０は、スイッチ孔カバー４０がスイッチ孔２１に固定された状態でも、開閉自在になっている。
【００２２】
なお、スイッチ孔カバー４０がスイッチ孔２１に固定された状態からスイッチ孔カバー４０を外す場合には、フロントカバー２０における筐体１１の前面パネル１２側の面からスイッチ孔カバー４０の締結部４１を押して締結穴２２から離脱させればよい。
【００２３】
これにより、「電源スイッチは毎日操作するものであり、オペレータも多いため、すぐに位置が確認できて操作できるように、カバーでは覆わず、筐体の表面に出して欲しい。」という要望のユーザは、スイッチ孔カバー４０をスイッチ孔２１に嵌め込まない状態でＰＯＳ端末１を使用すればよい。また、「電源のＯＮ／ＯＦＦは、ネットワークで行うため、電源スイッチの操作は基本的に行わない。オペレータが誤って操作することが無い様に、カバーで電源スイッチを覆って欲しい。ただし、緊急時には、電源スイッチを操作できるようにして欲しい。」という要望のユーザは、スイッチ孔カバー４０をスイッチ孔２１に嵌め込んだ状態でＰＯＳ端末１を使用すればよい。
【００２４】
このように本実施の形態によれば、電源スイッチ３０が設けられた前面パネル１２に対して開閉自在なフロントカバー２０が閉位置に位置している状態で電源スイッチ３０を外部に露出するスイッチ孔２１と、スイッチ孔２１に対して着脱自在であって、スイッチ孔２１に対して取り付けた状態で電源スイッチ３０の露出を遮蔽するスイッチ孔カバー４０と、を備えることにより、電源スイッチ３０の位置を確認することができるとともに容易に操作することを望むユーザはスイッチ孔カバー４０をスイッチ孔２１に取り付けない状態で使用すればよく、また、通常は電源スイッチ３０を外部に露出しないようにしておき、緊急時には電源スイッチ３０を操作できることを望むユーザはスイッチ孔カバー４０をスイッチ孔２１に取り付けた状態で使用すればよく、電源スイッチ３０の運用により、スイッチ孔カバー４０をスイッチ孔２１に取り付けるか、スイッチ孔カバー４０をスイッチ孔２１に取り付けないかの対応を選択することができるので、スイッチ孔カバー４０のような小物部品を追加するだけの容易な構造で、製品種類を増やすことなく、電源スイッチ３０の操作に関する運用の変化に容易に対応することができる。
【符号の説明】
【００２５】
１      商品販売データ処理装置
１１    筐体
１２    所定のパネル面
３０    電源スイッチ
２０    カバー
２１    スイッチ孔
４０    スイッチ孔カバー
【先行技術文献】
【特許文献】
【００２６】
【特許文献１】特開２００６−９２７０３号公報
【図１】
2010186337.tif 000003
【図２】
2010186337.tif 000004
【図３】
2010186337.tif 000005
【図４】
2010186337.tif 000006